(57)【要約】【課題】簡単な機構でゴミを嵩張らないように圧縮して保管することができるゴミ容器を提供する。【解決手段】容器の側壁１２ｃに回転軸６を介して軸支されて容器の内側に突出するよう付勢されるとともに、回転軸を中心に付勢位置から回動して側壁に向かって後退可能であるゴミ押え２を少なくとも１つ備えたゴミ容器１０である。【選択図】図３
2008285294.tif 000002
【特許請求の範囲】
【請求項１】
容器の側壁から内側に突出するよう付勢又は固定されるとともに、前記突出位置から前記側壁に向かって後退可能であるゴミ押えを少なくとも１つ備えたゴミ容器。
【請求項２】
容器の側壁に回転軸を介して軸支されて前記容器の内側に突出するよう付勢されるとともに、前記回転軸を中心に前記付勢位置から回動して前記側壁に向かって後退可能であるゴミ押えを少なくとも１つ備えたゴミ容器。
【請求項３】
前記ゴミ押えは前記側壁に設けられた開口部の上端縁に軸支され、下方に押圧することにより回動して前記開口部内に収容される請求項２記載のゴミ容器。
【発明の詳細な説明】
【技術分野】
【０００１】
本発明は、容器内でゴミが嵩張らないように収容して保管できるゴミ容器に関する。
【背景技術】
【０００２】
紙屑やプラスチックトレイ等のゴミは嵩張るため、ゴミ箱がすぐに一杯になるという問題があった。特に、近年、プラスチック容器を分別回収する自治体が多く、プラスチック容器のゴミ箱内での保管が問題となっている。
このようなことから、ごみ容器の蓋にごみを圧縮するプレス体や落し蓋を取付けた技術が知られている（特許文献１、２参照）。
【０００３】
【特許文献１】実開平07-31703号公報
【特許文献２】特開2005-154091号公報
【発明の開示】
【発明が解決しようとする課題】
【０００４】
しかしながら、上記した特許文献１、２記載の技術の場合、プレス体や落し蓋の機構が複雑になり、ゴミ箱のコストアップや重量アップにつながったり、故障しやすくなる恐れがある。
本発明は上記の課題を解決するためになされたものであり、簡単な機構でゴミを嵩張らないように圧縮して保管することができるゴミ容器の提供を目的とする。
【課題を解決するための手段】
【０００５】
上記の目的を達成するために、本発明のゴミ容器は、容器の側壁から内側に突出するよう付勢又は固定されるとともに、前記突出位置から前記側壁に向かって後退可能であるゴミ押えを少なくとも１つ備えている。
このようにすると、ゴミ押えが容器内側に突出しているので、容器に収容されたゴミが膨らもうとしてもゴミ押えに押えられ、プレスした状態でゴミ容器に収容、保管することができる。又、ゴミ押えをゴミ容器側壁に向かって後退させると、押えられていたゴミが開放されるので、ゴミを取出すことができたり、新たなゴミを押圧して容器にさらに充填することができる。
【０００６】
又、本発明のゴミ容器は、容器の側壁に回転軸を介して軸支されて前記容器の内側に突出するよう付勢されるとともに、前記回転軸を中心に前記付勢位置から回動して前記側壁に向かって後退可能であるゴミ押えを少なくとも１つ備えている。
このようにすると、ゴミ押えが容器内側に突出しているので、容器に収容されたゴミが膨らもうとしてもゴミ押えに押えられ、プレスした状態でゴミ容器に収容、保管することができる。又、ゴミ押えをゴミ容器側壁に向かって後退させると、押えられていたゴミが開放されるので、ゴミを取出すことができたり、新たなゴミを押圧して容器にさらに充填することができる。又、ゴミ押えの動作が回転軸を中心とする回動によるので、動作が確実かつ構造が簡便である。
【０００７】
前記ゴミ押えは前記側壁に設けられた開口部の上端縁に軸支され、下方に押圧することにより回動して前記開口部内に収容されることが好ましい。
このようにすると、ゴミ押えの上にゴミを載せて下方に押圧すると、ゴミ押えが開口部内に収容され、ゴミを容器内に容易に押し込むことができる。又、ゴミ容器内に充満したゴミを取出す時には、ゴミ押えが後退して開口部内に収容されるので、ゴミの引っ掛かり等がなく容易にゴミを取出すことができる。
【発明の効果】
【０００８】
。
本発明によれば、簡単な機構でゴミを嵩張らないように圧縮して保管することができる。
【発明を実施するための最良の形態】
【０００９】
以下、本発明の実施形態について、図面を参照して説明する。図１は、本発明の実施形態にかかるゴミ容器の側面図である。ゴミ容器１０は有低四角筒形で上部が開口しており、図１の方向が短辺となるので、図１の方向から見た側面を「短辺方向側面」という。ゴミ容器１０の短辺方向側面の側壁１２ｃには横に長い矩形状の開口部１２が形成されている。開口部１２の上端縁１２ａには蝶番４の一片４ａが取付けられ、蝶番４の他片４ｂがゴミ押え２の上端に取付けられている。
ゴミ押え２は断面が「く」の字状の長尺な板からなり、ゴミ押え２の長さは開口部１２の長さより短く、ゴミ押え２の幅は開口部１２の高さより短くなっていて、開口部１２内に収容されるようにゴミ押え２が取付けられている。
なお、この実施形態においては、ゴミ容器１０のうちゴミ押え２が取付けられた側壁１２ｃの底部に第２の開口部１４が形成され、後述するように第２の開口部１４につま先を入れてゴミ容器１０を押えることにより、ゴミを取出しやすくなっている。
【００１０】
図２は、図１のII-II線に沿う断面図であり、短辺方向側面に隣接する他の側面（以後、「長辺方向側面」という）から見た側面図に対応する。この図において、ゴミ押え２の「く」の字部分が短辺方向側面の側壁１２ｃから容器内側へ向かって突出し、ゴミ押え２より下側に収容されたゴミが膨らまないようゴミを押えている。又、この実施形態においては、ゴミ押え２は短辺方向側面の対向する位置にそれぞれ１個取付けられ、ゴミ押え効果をより一層高めている。なお、この実施形態において、ゴミ容器１０の長辺は３８０〜４１５ｍｍ、ゴミ押え２の１個当りの突出部長さは約４０ｍｍであり、この程度の突出でも充分にゴミの膨張を押えることができることを本発明者らは実際に確認している。
また、ゴミ押えの１個当りの突出部長さが短いと、ゴミ押えを下方に押圧して後退させる際、容器内のゴミにぶつかり難いので、ゴミ押えを後退させ易くなり作業性が向上する。但し、後述する図５に示すように、ゴミ押え自体が伸縮してその長さを変化させることができる場合には、ゴミ押えの突出部長さが長くてもよい。
なお、開口部１２の長さは２１５ｍｍ、高さは５０ｍｍである。
【００１１】
図３は、図２の部分拡大図であり、ゴミ押えの取付け態様を示す。この図において、蝶番４の各片４ａ、４ｂの間には、線状のトーションバネ６が配置されている。そして、トーションバネ６の各アームは、各片４ａ、４ｂの間隔が回転軸４ｃを中心に広がるように各片を付勢する。これにより、片４ｂ及びこれに取付けられたゴミ押え２が回転軸４ｃを中心に上方（図のＢ方向）に付勢され、ゴミ容器の内側にゴミ押え２が突出するようになっている。
なお、片４ｂが水平位置（図３の位置）まで付勢されると、片４ｂの基端が片４ａの基端に当接してストッパーの機能を果たし、各片４ａ、４ｂの間隔がこれ以上広がらないようになっている。つまり、片４ｂの水平位置が付勢位置となっている。
一方、トーションバネ６の付勢力に反し、ゴミ押え２を水平位置から下方（図のＰ方向）に押圧すると、ゴミ押え２（及び片４ｂ）は回転軸４ｃを中心に付勢位置から回動し、開口部１２内に収容される。つまり、ゴミ押え２はゴミ容器の側壁側に後退可能になっている。
【００１２】
このように、ゴミ押え２を下方に押圧すると、ゴミ押え２が開口部１２内に収容されるので、ゴミ押え２の上にゴミを載せて容器内に押し込むことにより、ゴミが容器内に収容されると共に、ゴミが下方から膨らもうとしても、ゴミ押え２が水平位置で係止され、ゴミを押えるので、ゴミが外側に膨らまずに容器内に保持される。つまり、プラスチックゴミ等の嵩張るゴミをゴミ容器内に順次押し込んでプレスし、保管することができる。
一方、ゴミ容器内に充満したゴミを取出す時には、つま先を第２の開口部１４に入れてゴミ容器１０を押えた状態でゴミ押え２を下方に押圧する。そうすると、ゴミ押え２が後退し、容器内にプレスされたゴミが膨らんで容器の上方に上がってくるので、これを容易に取出すことができる。
【００１３】
本発明は上記実施形態に限定されない。例えば、ゴミ押えは容器内に突出して容器の内径を狭めるものであれば、その個数、形状、取付け態様は限定されない。例えば、ゴミ押えを１個のみ設けてもよいし、ゴミ容器の各側壁（例えば矩形のゴミ容器であれば４ヶ所の側壁）にそれぞれ設けてもよい。ゴミ押え２の形状についても、例えば、棒状、板状等、何でもよい。ゴミ押えを付勢する手段についても、バネや弾性体等、何であってもよい。
又、ゴミ押えの取付け態様も制限はなく、例えば図４に示すように、容器１０ａの軸方向（図１の上下方向に相当）に平行な回転軸６ａまわりに２個の棒状のゴミ押え２ａが回動するようにしてもよい。この場合、ゴミ押え２ａが容器の中心付近から図の矢印方向に回動すると、ゴミ押え２ａが側壁に沿うようになり、ゴミ押えが解除される。
【００１４】
又、ゴミ押えが軸支される場合だけでなく、例えば図５に示すように、容器の側壁１２ｃから蛇腹状のゴミ押え２ｂが延びるようにすることもできる。この場合、ゴミ押え２ｂは、それぞれ断面（図５と垂直な方向）から見た形状が矩形の筒体２０、２１が軸方向に蛇腹状に延びることによって構成される。筒体２０の内径は筒体２１の外径より大きく、筒体２１が筒体２０に入れ子状態で収容されることでゴミ押え２ｂが後退する。筒体２０の基部はフランジをなし、突起２０ｓが形成され、フランジに対向する側壁１２ｃには突起２０ｓが嵌合する穴１２ｈが形成されている。同様に、筒体２１の基部はフランジをなし、突起２１ｓが形成され、フランジに対向する筒体２０の天面の内側には突起２１ｓが嵌合する穴２０ｈが形成されている。そして、各穴に各突起を嵌合することにより、筒体２０、２１が固定されてゴミ押え２ｂが延びた状態になる。
ゴミ押え２ｂを後退させる際には、容器外側から筒体２０内に手を入れ、筒体２１の天面の内側に形成された取っ手２２を把持して引っ込めることにより、ゴミ押え２ｂを後退可能である。このようにすると、ゴミ押え２ｂを後退させる際に手を汚すことがない。
【００１５】
ゴミ容器やゴミ押えの材質も制限はなく、例えば、金属、プラスチック等の公知材料を使用できる。
【図面の簡単な説明】
【００１６】
【図１】本発明の実施形態に係るゴミ容器を示す側面図である。
【図２】図１のII-II線に沿う断面図である。
【図３】図２の部分拡大図であり、ゴミ押えの取付け態様を示す図である。
【図４】本発明の別の実施形態に係るゴミ容器の上面図である。
【図５】本発明のさらに別の実施形態に係るゴミ容器の上面図である。
【符号の説明】
【００１７】
２、２ａ、２ｂ              ゴミ押え
４                          蝶番
６                          回転軸
１０                        ゴミ容器
１２                        開口部
１２ｃ                      容器の側壁
【図１】
2008285294.tif 000003
【図２】
2008285294.tif 000004
【図３】
2008285294.tif 000005
【図４】
2008285294.tif 000006
【図５】
2008285294.tif 000007